(57)【特許請求の範囲】
【請求項１】
バッテリーと、
外部電源を用いて前記バッテリーを充電させる充電部および前記バッテリーの電源を用いて高周波電源を発生させる高周波電源部を有する駆動モジュールと、
前記高周波電源部に連結され、高周波電源を人体に印加する導子と、
前記バッテリーおよび前記駆動モジュールを内蔵し、前方に前記導子が露出して取り付けられるハウジングと、を含んでなり、
前記駆動モジュールは、
前記バッテリーから放電する電源を昇圧させる昇圧部と、
前記昇圧部で昇圧して出力される電圧の強さを調節する強さ調節部と、
前記昇圧部から出力され、前記強さ調節部により調節された電圧を定電圧化して前記高周波電源部に供給する定電圧部と、をさらに含み、
前記導子は、
前記ハウジングの貫通ホールを貫いて露出する凸部と、
前記凸部の内側に設けられる凹部と、
前記凸部の縁部から延長され、前記ハウジングのヘッドの内面に係止される延長部と、を含み、
前記導子の凹部に挿着されて支持する支持部を有する支持ブロックと、
前記導子の凸部に嵌合され、前記延長部と前記ハウジングのヘッドの内面との間で加圧されて隙間を密閉する防水パッドと、をさらに含むことを特徴とする、バッテリー内蔵型携帯用高周波治療器。
【請求項２】
前記バッテリーと前記駆動モジュールとは分離交替可能にコネクターで接続されることを特徴とする、請求項１に記載のバッテリー内蔵型携帯用高周波治療器。
【発明の詳細な説明】
【技術分野】
【０００１】
本発明は、人体への高周波印加により発生する深部発熱を利用して治療する高周波治療器に関する。より詳しくは、高周波発生のための電源を供給するバッテリーをハウジングに内蔵して携帯可能であり、それにより場所と時間を問わずどこでも使用が可能であるうえ、バッテリーと高周波電源を発生させる駆動モジュールとがコネクターで接続されてバッテリーの分離・交替が容易であり、使用者個人の嗜好または体質や患部の状態などに応じて、人体皮膚に印加される高周波電源の強さの任意調節が可能である、バッテリー内蔵型携帯用高周波治療器に関する。
【背景技術】
【０００２】
高周波治療器は、高周波電源を人体に印加して高周波電源を生体エネルギーに転換し、このような生体エネルギーにより発生した深部熱を利用して脂肪代謝および筋肉運動を促進することにより、肥満治療や筋肉強化、皮膚管理、毛髪促進、疼痛緩和などに用いられる医療用機器である。高周波電源が人体内に通電すると、電流の方向が変わるたびに、組織を構成する分子が振動しながら互いに摩擦することになり、その結果として該当身体組織から熱が発生するが、これを深部発熱または深部熱という。
【０００３】
高周波電源の電流は、他の形態の電流とは異なり、感覚神経や運動神経を刺激せず、筋肉収縮を起こすことなく該当身体組織内の特定部位を加熱することができる。生体熱エネルギーに変換された高周波エネルギーは、該当身体組織の温度を上昇させて細胞の機能を増進させ、動脈および毛細血管の拡張によって血流量を増加させることにより、血液およびリンパ液の循環を促進し、新陳代謝を増進させる。
【０００４】
高周波治療器に関する従来の技術としては、韓国登録特許第１０６８７６１号の「高周波治療用電極ユニット」、韓国公開特許第２００９−００６３５４１号の「セルフハンドルが備えられた高周波深部発熱を利用した治療装置」などの多様な種類がある。上記登録特許と上記公開特許を含む従来の技術に係る高周波治療器は、図１に示すように、一般に高周波電源を生成して出力する本体１０と、該本体１０にケーブル２5で接続され、高周波電源を印加する印加導子２１および使用者が把持するハンドル２３を有する高周波印加部材２０と、前記本体１０にケーブル３３で接続され、印加された高周波電源を通電させるプレート形態の通電導子３１を有する通電部材３０とから構成される。
【０００５】
従来の技術に係る高周波治療器は、使用者が直接把持して使用する印加部材２０と、高周波電源を生成する本体１０とが別個に備えられ、本体１０の体積が大きい。よって、従来の技術に係る高周波治療器は、設置場所でのみ使用が可能であり、携帯して時間および場所を問わずに使用することは難しい。
【０００６】
従来の技術に係る高周波治療器は、高周波印加部材２０の印加導子２１を皮膚に接触させる前に、別個に備えられる通電部材３０の通電導子３１を皮膚に接触させなければならないという不便さがある。言い換えれば、印加導子２１を皮膚に接触させるときに注意深くしなくても通電導子３１も皮膚に共に接触すれば便利であるが、通電導子３１が印加導子２１とは別個に備えられるので、通電導子３１を意図的に皮膚に接触させなければならないという煩わしさがある。
【０００７】
高周波治療器は、高周波電源を人体に印加して発生する深部熱で患部を治療する機器であって、使用者の個人的な嗜好または体質や患部の状態に応じて、印加される高周波電源の強さを異ならせる必要がある。さらに、電気ショックまたは火傷の危険があるときにも、人体に印加される高周波電源を制御する必要がある。
【０００８】
ところが、従来の技術に係る高周波治療器は、人体に印加する高周波電源の強さを調節するのではなく、危険状況で高周波電源の印加を遮断するようにしている。言い換えれば、従来の技術では、人体への電源印加による電気ショックの危険を予防し、高周波電源の印加による深部熱で火傷を負うことを予防するために、このような危険状況で高周波電源を遮断して人体に印加されないようにはしているが、使用者の個人的な嗜好または体質や患部の状態に応じて、印加される高周波電源の強さを調節してはいない。
【０００９】
従来の技術では皮膚に接触して高周波を印加する導子を中身の詰まった円柱状構造とするが、高周波電源は大部分が導子の表面を介して人体に印加されるため、円柱状の導子を用いる従来の技術は、資材の浪費、製造コストの上昇および重量増加をもたらす。
【００１０】
従来の技術は、導子をボルトによって取り付ける構造であって、取付けが煩わしく、多くの時間がかかるうえ、防水性が脆弱であって導子の隙間から水気または薬品が内部に浸透する素地が大きい。
【先行技術文献】
【特許文献】
【００１１】
【特許文献１】韓国登録特許第１０６８７６１号
【特許文献２】韓国公開特許第２００９−００６３５４１号
【発明の概要】
【発明が解決しようとする課題】
【００１２】
本発明は、上述した従来の技術に係る高周波治療機器の問題点を解決するためになされたもので、その目的は、使用者が把持するハウジングにバッテリー、および高周波電源を発生させ且つバッテリーを充電させる駆動モジュールを内蔵して小型化されることにより、簡便に携帯しながら時間および場所を問わず使用が可能であるとともに、バッテリーと駆動モジュールとがコネクターで分離可能に接続されることにより、バッテリーに問題が発生したり寿命が切れたりした場合に簡便にバッテリーを取り替えることが可能である、バッテリー内蔵型携帯用高周波治療器を提供することにある。
【００１３】
本発明の他の目的は、印加導子と通電導子がハウジングの前方に隣接して配列されることにより、自然に皮膚に共に接触するため、通電導子を別途に皮膚に接触させる不便のないバッテリー内蔵型携帯用高周波治療器を提供することにある。
【００１４】
本発明の別の目的は、人体に印加される高周波電源の強さを使用者が任意に調節することができるようにして、使用者の嗜好または体質や患部の状態に応じて適切な強さの高周波電源が印加されるようにすることができる、高周波電源の強さを調節することが可能なバッテリー内蔵型携帯用高周波治療器を提供することにある。
【００１５】
本発明の別の目的は、導子を中空の構造にして、皮膚への高周波電源の印加には何らの影響もないながら、導子の原資材を節減して製造コストを削減し、軽量化を図り、それにより弱くなった強度は導子の内部に挿着されて支持される支持ブロックが補強することにより、導子の外部衝撃による損傷を防止することができ、導子がハウジングに簡便に連結され、ハウジングと導子との隙間から水気または薬物が内部に浸透しないように防水パッドを有し、該防水パッドが支持ブロックによって加圧密着して防水性が一層強化された、バッテリー内蔵型携帯用高周波治療器を提供することにある。
【課題を解決するための手段】
【００１６】
上記目的を達成するために、本発明に係るバッテリー内蔵型携帯用高周波治療器は、バッテリーと、外部電源を用いて前記バッテリーを充電させる充電部、および前記バッテリーの電源を用いて高周波電源を発生させる高周波電源部を有する駆動モジュールと、前記高周波電源部に連結され、高周波電源を人体に印加する導子と、前記バッテリーおよび前記駆動モジュールを内蔵し、前方に前記導子が露出して取り付けられるハウジングとを含んでなる。
【００１７】
前記駆動モジュールは、前記バッテリーから放電する電源を昇圧させる昇圧部と、前記昇圧部の電源を定電圧化して前記高周波電源部に供給する定電圧部と、前記昇圧部で昇圧して出力される電圧の強さを調節することにより、前記高周波電源部から出力される高周波電源の強さを調節する強さ調節部とをさらに含むことを特徴とする。
前記バッテリーと前記駆動モジュールとは分離交替可能にコネクターで接続されることを特徴とする。
【発明の効果】
【００１８】
このような構成を持つ本発明に係るバッテリー内蔵型携帯用高周波治療器は、小型軽量化の実現が可能であり、バッテリーと、該バッテリーを充電させる充電部を有する駆動モジュールとを備えて携帯用として所持しながらいつどこでも使用が可能であり、バッテリーと駆動モジュールとは簡便に分離可能なコネクターで接続され、バッテリーの寿命が切れたりバッテリーに問題が発生したりした場合に簡便に新しいバッテリーで取り替えることができ、使用者が任意に高周波電源の強さを調節することができて使用者の嗜好または体質や患部の状態に応じて適切な強さの高周波電源を皮膚に印加して満足の高いより優れた高周波治療効果を期待することができ、構成要素が簡便に組み立てられるため、人件費が減少し、生産性および耐久性にも優れて長期間使用することが可能な製品であって、産業発展に非常に有用な発明である。
【図面の簡単な説明】
【００１９】
【図１】従来の技術に係る高周波治療器を示す図である。
【図２】本発明に係る携帯用高周波治療器の斜視図である。
【図３】図２を一側から見た分解斜視図である。
【図４】図２を他側から見た分解斜視図である。
【図５】図２の断面図である。
【図６】駆動モジュールの入力側回路図である。
【図７】図６の回路図に連結される駆動モジュールの出力側の回路図である。
【図８】駆動モジュールのＣＰＵと表示部の回路図である。
【発明を実施するための形態】
【００２０】
以下に図面を参照しながら、本発明に係るバッテリー内蔵型携帯用高周波治療器についてより具体的に説明する。
【００２１】
本発明に係るバッテリー内蔵型携帯用高周波治療器を説明するに先立ち、
本発明は様々な変更を加えることができ、様々な形態を持つことができるので、以下、実施態様（または実施例）を本文に詳細に説明する。ところが、これは本発明を特定の開示形態に限定しようとするものではなく、本発明の思想および技術範囲に含まれる変更、均等物および代替物はいずれも本発明に含まれるものと理解すべきである。
【００２２】
各図面において、同一の参照符号、特に十の桁および一の桁、あるいは十の桁、一の桁およびアルファベットが同じ参照符号は同一または類似の機能を有する部材を示し、特に言及されない限り、各参照符号が指す部材はこのような基準に準じる部材として把握すればよい。
【００２３】
また、各図において、構成要素は理解の便宜などを考慮して大きさまたは厚さを誇張して大きく（または厚く）又は小さく（または薄く）表現し、或いは単純化して表現しているが、これにより本発明の保護範囲が制限的に解釈されてはならない。
【００２４】
本明細書で使用した用語は、単に特定の実施態様（または実施例）を説明するために使用されるもので、本発明を限定しようとするものではない。単数の表現は、文脈上明らかに異なる意味を表さない限り、複数の表現を含む。本出願において、「含む」又は「からなる」などの用語は、明細書に記載された特徴、数字、段階、動作、構成要素、部品又はそれらの組み合わせが存在することを示すものであり、１つ又はそれ以上の他の特徴、数字、段階、動作、構成要素、部品又はそれらの組み合わせの存在又は付加の可能性を予め排除するものではないと理解すべきである。
【００２５】
別途定義されない限り、技術的又は科学的な用語を含めてここで使用される全ての用語は、本発明の属する技術分野における通常の知識を有する者に一般的に理解されるものと同様の意味を持っている。一般に使用される辞書に定義されている用語は、関連技術の文脈上持つ意味と同じ意味を持つと解釈されるべきであり、本出願において明らかに定義しない限り、理想的または過度に形式的な意味には解釈されない。
【００２６】
図示の如く、本発明に係るバッテリー内蔵型携帯用高周波治療器は、バッテリー３０、駆動モジュール４０、導子１０、２０、ハウジング（Ｈ）６０〜１４０の構成要素に大別される。
【００２７】
前記バッテリー３０は、高周波電源を生成するための電源を供給する。前記バッテリー３０は、充電が可能な二次電池を使用する。
【００２８】
前記駆動モジュール４０は、前記バッテリー３０が供給する電源を用いて高周波電源を生成して前記印加導子１０と通電導子２０へ出力し、外部から入力される外部電源を用いてバッテリー３０を充電させ、パワーボタン１２０と調節ボタン１１０の操作によって、入力される命令信号に基づいてバッテリー３０を放電させ、高周波電源の強さを調節する。
【００２９】
前記駆動モジュール４０は、ＰＣＢ４１と、前記ＰＣＢ４１に実装される各種電子素子４２からなる機構的構造と、電子素子４２が互いに接続されて充電部、高周波電源部などを形成する電気的構造に分けられる。前記駆動モジュール４０の電気的構造は後述する。
【００３０】
前記駆動モジュール４０のＰＣＢ４１の後方には、外部電源で前記バッテリー３０を充電させるために充電源ケーブルが接続される充電ポート４４が備えられ、ＰＣＢ４１の前面の上部には、電源をオン／オフにするパワースイッチ４５と、高周波電源の強さを調節する調節スイッチ４６と、作動状態に関する情報を表示するための表示ランプ４７とが備えられ、ＰＣＢ４１の後面には、前記バッテリー３０と駆動モジュール４０とを簡便に電気的に接続／分離することを可能とするコネクター４８が備えられる。
【００３１】
前記パワースイッチ４５と調節スイッチ４６は、外力によって押圧され、外力が消滅すると自動復帰するタクトスイッチを使用し、前記表示ランプ４７は、小型のチップＬＥＤを使用する。
【００３２】
前記駆動モジュール４０の前方には、刺激モジュール５０がコネクター４９、５９およびケーブルを介して接続される。前記刺激モジュール５０は、前記ハウジングのヘッド８０の内部に配置され、ＰＣＢ５１と、該ＰＣＢ５１に実装され、前記通電導子２０および印加導子１０の両側に配置されて皮膚への高周波電源の印加時に共に発光する刺激ランプ５２とを含んでなる。前記刺激ランプ５２は、小型のチップＬＥＤを使用し、発光する光が皮膚細胞を刺激して活性化させる。
【００３３】
前記導子１０、２０は人体に高周波電源を印加する。前記導子は印加導子１０と通電導子２０から構成されるが、従来の技術では、図１に示すように、一般的に、印加導子は、ハンドルに備えられ、高周波を印加しようとする皮膚に接触するように構成されるとともに、通電導子２０は、高周波電源を生成する本体に別途備えられ、手で把持するように或いは他の身体部位に接触するように構成されており、すなわち、印加導子と通電導子をそれぞれ別個に身体皮膚に接触するように構成されており、使用が不便であった。このため、本発明は、印加導子１０と通電導子２０を全てハウジングＨのヘッドに備えることにより、印加導子と通電導子を別個に皮膚に接触させなければならないという不便なしに一度で一緒に皮膚に接触するようにした。
【００３４】
前記印加導子１０と通電導子２０は、前記駆動モジュール４０に電気的に接続され、皮膚に接触して高周波電源を人体に印加し、印加された高周波電源が人体を介して通電するようにすることにより、印加導子１０と通電導子２０との間の人体内部組織を刺激して深部熱を発生させる。深部熱（すなわち、生体熱エネルギー）に変換された高周波エネルギーは、該当身体組織の温度を上昇させて細胞の機能を増進させ、動脈および毛細血管の拡張によって血流量を増加させることにより、血液およびリンパ液の循環を促進し、新陳代謝を増進させる。
【００３５】
前記印加導子１０と通電導子２０は、ハウジングヘッド８０の貫通孔８１を貫いて露出し、皮膚に接触する凸部１１と、前記凸部１１の内側に設けられる溝構造の凹部１２と、前記凸部１１の後方縁部から外側に延長され、前記ヘッド８０の内面に係止される延長部１３と、前記凸部１１の後方に連結され、前記駆動モジュール４０と電気的に接続される接続部１４とを含んでなる。
【００３６】
前記印加導子１０と通電導子２０はそれぞれ２つずつ備えられ、２つの印加導子１０と２つの通電導子２０とは互いに電気的に接続されて同時に高周波電源の印加を受ける。
【００３７】
前記印加導子１０、通電導子２０、およびこれらの導子が露出するように取り付けられる前記ハウジングＨのヘッド８０の前方は使用者の皮膚に接触するので、皮膚に水気がある場合或いは皮膚に薬物が塗られている場合に、その水気または薬物が印加導子１０と通電導子２０との隙間から浸透してハウジングに流入するおそれがある。すなわち、ヘッド８０に設けられた貫通孔８１の隙間から水気または薬物が浸透するおそれがある。そこで、本発明は、水気または薬物が浸透しないようにする防水パッド１００と、防水パッド１００を加圧して隙間を密閉させる支持ブロック１４０などを備える。
【００３８】
これをより具体的に説明すると、前記防水パッド１００は、前記印加導子１０および通電導子２０の凸部１１に嵌合され、前記延長部１３と前記ヘッド８０の内面との間に介在され、前記支持ブロック１４０は、前記印加導子１０と通電導子２０を前方側に向かうように支持することにより、前記防水パッド１００が前記延長部１３と前記ヘッド８０の内面との間で加圧されて隙間を密閉させる。
【００３９】
前記支持ブロック１４０は、その後方が前記刺激モジュール５０のＰＣＢ５１に接触支持され、前記刺激モジュール５０のＰＣＢ５１は、前記ヘッド８０の内面に螺設されて締め付けられ、前記支持ブロック１４０を前方に押し付けて前記印加導子１０と通電導子２０を前方に向かうようにする。
【００４０】
前記支持ブロック１４０は、前記印加導子１０と通電導子２０を前方に押して前記防水パッド１００が隙間を密閉させ、且つ前記印加導子１０および前記通電導子２０への衝撃印加の際に前記印加導子１０および通電導子２０が変形、損傷しないようにする。前記支持ブロック１４０は、前記印加導子１０と通電導子２０の凹部１２に挿着されることにより、前記印加導子１０と通電導子２０を前方に押し付けながら支持するとともに、外部からの衝撃による損傷を防止する支持部１４１と、前記支持部１４１の後方に設けられ、前記刺激モジュール５０のＰＣＢ５１に接触する接触部１４３と、前記接触部１４３の後方に突設され、前記ＰＣＢ５１の嵌合ホール５５に嵌合される嵌合突起１４５とを含んでなる。
【００４１】
前記ハウジングＨは、前記駆動モジュール４０、バッテリー３０、および刺激モジュール５０などを内蔵する。前記ハウジングＨは、互いに接合して組み立てられる上部ケース６０および下部ケース７０、組み立てられた上部ケース６０および下部ケース７０の前方に挿嵌されるヘッド８０、前記ヘッド８０に嵌脱自在に外嵌される上部キャップ９０、並びに組み立てられた上部ケース６０および下部ケース７０の後方にフック方式で係合される後方キャップ９０Ａを含む。
【００４２】
前記上部ケース６０と下部ケース７０は、内側端部には互いに嵌合される嵌合段部６１、７１が設けられ、内側縁部にはフック式で互いに簡便に係合されるフック突起７２およびフック溝６２が設けられる。前記上部ケース６０の内面縁部には、前記ＰＣＢ４１の上部面を支持する支持ボス６３が多数突設される。
【００４３】
前記ヘッド８０は、互いに組み立てられた上部ケース６０と下部ケース７０の前方に挿嵌される。前記ヘッド８０の前方には、前記印加導子１０と通電導子２０が挿通して係合される貫通ホール８１が設けられ、前記ヘッドの上部および下部にはそれぞれ前記上部ケース６０と下部ケース７０の前方内面に突設された突起６５、７５が嵌められて組み立てられる組立溝８５が設けられ、前記ヘッドの外面両側には前記キャップ９０が嵌脱自在に強制嵌め式で嵌合される嵌脱溝８７が設けられる。
【００４４】
前記ハウジングの上部ケース６０には、使用者の操作のためのパワーボタン１２０、調節ボタン１１０、および作動状態に関する情報を表示する表示板１３０が取り付けられる取付部が備えられる。
【００４５】
ここで、前記パワーボタン１２０は、前記駆動モジュール４０に備えられる前記パワースイッチ４５を押圧して本発明に係る治療器のパワーをオン／オフにし（すなわち、バッテリー３０が放電または放電中断するようにし）、前記調節ボタン１１０は前記調節スイッチ４６を加圧して高周波電源の強さを調節し、前記表示板１３０は本発明に係る治療器の作動状態情報（例えば、パワーのオン／オフ、高周波電源の強さ、バッテリーの充電状態など）を表示する。
【００４６】
前記上部ケース６０の前記取付部６７は、その前方部には前記表示板１３０を支持し且つ前記表示ランプ４７からの光が透過する透過ホール６７１を有するサポート板６７２が設けられ、前記サポート板６７２の前方には前記表示板１３０の前方に設けられた嵌合突起１３３が嵌合される嵌合溝６７３が設けられ、前記サポート板６７２の後方には前記パワーボタン１２０のフック突起１２４がフック式で係合される係止突部６７４が設けられ、前記係止突部６７４の後方には前記パワーボタン１２０を支持する支持突部６７５が設けられる。
【００４７】
前記パワーボタン１２０には、前記調節ボタン１１０が挿入されてセットされる中空１２１が設けられ、前記調節ボタン１１０は、前記表示板１３０と一体に成形され、弾性を有する弾性棒１１１によって前記表示板と連結される。
【００４８】
前記調節ボタン１１０および表示板１３０と一体に成形される前記弾性棒１１１は、容易に折れず、弾性復帰力を失わない長さを持つことができるように、前記調節ボタン１１０と前記表示板１３０との間に横方向に長く配置される水平部１１１ａと、前記水平部１１１ａの両側から前後方に設けられ、それぞれ前記調節ボタン１１０と前記表示板１３０に連結される垂直部１１１ｂとを含んでなる。前記調節ボタン１１０と表示板１３０との間隔が狭いため、前記弾性棒１１１が前記調節ボタン１１０と前記表示板１３０とを直線距離で短く連結させると、使用者が調節ボタン１１０を加圧するとき、前記弾性棒１１１の変位が大きくなって弾性棒１１１が折れたり弾性復帰力を失ったりするおそれがある。
【００４９】
前記表示部１３０の一面は、前記駆動モジュールの表示ランプ４７からの光を遮断するマスキング領域と、光を通過させる通過領域とに分けられる。光を通過させる通過領域は、数字またはバッテリーの形状をし、表示ランプ４７が発光するときに透過領域へ光が透過して高周波電源の強さやバッテリーの充電状態などの情報を使用者が確認することができるように現出させる。
【００５０】
前記パワーボタン１２０は、その後方側を使用者が加圧すると、前記支持突部６７５を軸として後方側が押されて前記パワースイッチ４５を押圧することになり、使用者が加圧する力が消滅すると、前記支持突部６７５の前方側に係合された前記フック突起１２４によって原状復帰する。
【００５１】
前記調節ボタン１１０は、使用者が加圧すると、前記弾性棒１１１の弾性によって押されて前記調節スイッチ４６を押圧することになり、使用者が加圧する力が消滅すると、前記弾性棒の復元力によって原状復帰する。
【００５２】
以下、図５を参照して、本発明に係る駆動モジュール４０の電気的な構造、すなわち回路図２００について説明する。
【００５３】
前記駆動モジュール４０の電気的な構造は、充電部２１０、放電部２２０、昇圧部２３０、強さ調節部２４０、定電圧部２５０、高周波電源部２６０、過負荷感知部２７０、表示部２８０およびＣＰＵ（Ｕ４）を含む。
【００５４】
前記充電部２１０は、前記充電ポート４４を介して外部から入力される電源で前記バッテリー３０を充電させる。前記充電部２１０は、前記充電ポートＪ１（４４）を介して入力される外部直流電源からノイズを除去してバッテリーＢ（３０）へ供給するコイルＬ１０を含む。前記充電部２１０は、最近、パソナールコンピュータ（ＰＣ）の電源を用いて充電する電子機器が益々増加する趨勢に合わせて、外部から入力される電源がパソナールコンピュータの電源であると想定して単にコイルＬ１０から構成したが、外部から入力される電源が商用電源である場合には、前記コイルＬ１０以外にも、商用電源を降圧および直流化するコンバータが充電部２１０にさらに必要である。
【００５５】
前記充電部２１０には、前記バッテリーに充電された電圧をチェックして前記ＣＰＵ（Ｕ４）へ伝送するチェック部２１１が備えられる。前記チェック部２１１からバッテリーの電圧情報を受け取った前記ＣＰＵ（Ｕ４）は、その電圧の強さに応じて前記表示ランプＬＥＤ２（４７）を赤色、黄色、緑色に発光させてバッテリーの充電状態を表示するようにする。
【００５６】
前記放電部２２０は、前記パワーボタン１２０が押されたときに前記バッテリー３０が放電するようにする。前記放電部２２０は、前記バッテリーの出力ラインに備えられ、ターンオンまたはターンオフされてバッテリーが放電または放電中断するようにする放電トランジスタＱ４と、前記パワーボタン１２０の押圧に応じる前記ＣＰＵ（Ｕ４）の制御によってターンオンまたはターンオフされ、前記放電トランジスタＱ４のオン／オフを制御する制御トランジスタＱ７、Ｑ８とを含む。
【００５７】
前記昇圧部２３０は、前記放電部２２０を介して放電する前記バッテリーの電圧を昇圧させて前記定電圧部２５０へ供給する。前記昇圧部２３０は、バッテリーから放電する電源を昇圧させる昇圧コイルＬ１と、前記バッテリーから放電する電流が前記昇圧コイルＬ１に導通または遮断されることを制御することにより、前記昇圧コイルＬ１に誘導起電力が誘導されて昇圧するようにする昇圧制御部Ｕ１と、前記昇圧コイルＬ１で昇圧した電圧を整流するダイオードＤ１、Ｄ２とを含んでなる。前記昇圧部２３０の出力電圧は、前記定電圧部２５０と駆動電源部２９０へそれぞれ供給される。
【００５８】
前記駆動電源部２９０は、前記昇圧部２３０から出力される電圧を、キャパシタＣ１、Ｃ２、Ｃ３およびコイルＬ２を介して、前記ＣＰＵ（Ｕ４）の駆動に必要な直流の駆動電源に変換して供給する。
【００５９】
前記強さ調節部２４０は、前記調節ボタン１１０が使用者によって押圧されるときに前記昇圧部２３０の出力電圧の強さを調節することにより、前記高周波電源部２６０から出力される高周波電源の強さを調節する。前記強さ調節部２４０は、前記調節ボタン１１０の押圧に応じてターンオンまたはターンオフされるトランジスタＱ２と、前記トランジスタＱ２のターンオンまたはターンオフに応じてオン／オフスイッチングされ、スイッチングされる信号を前記昇圧部２３０の昇圧制御部Ｕ１へ伝送するリレーＲＹ１とを含む。
【００６０】
前記強さ調節部２４０から信号を受信した前記昇圧部２３０の昇圧制御部Ｕ１は、前記昇圧コイルＬ１から発生する誘導起電力を調節することにより、昇圧する電圧の強さを調節する。
【００６１】
前記定電圧部２５０は、前記昇圧部２３０から出力される電圧を定電圧化して前記高周波電源部２６０に供給する。前記定電圧部２５０は、前記昇圧部２３０から入力される電源を定電圧化するレギュレータＵ１０と、前記レギュレータＵ１０の周辺回路を構成するトランジスタＱ１０、コイルＬ１１、ダイオードＤ９、Ｄ１０、抵抗、キャパシタなどを含んでなる。
【００６２】
前記高周波電源部２６０は、前記定電圧部２５０から出力される定電圧をスイッチングし、昇圧して高周波電源を発生させて前記印加導子１０および前記通電導子２０へ供給する。前記高周波電源部２６０は、前記定電圧部２５０から入力される定電圧を昇圧させるトランスＴ５と、高周波電源が高周波数を持つように発振する発振部２６１と、前記発振部２６１から生成する発振周波数に合わせてスイッチングし、前記トランスＴ５で昇圧が行われるようにするドライバー２６３とを含んでなる。
【００６３】
前記過負荷感知部２７０は、前記高周波電源部２６０の過負荷か否かを感知して前記ＣＰＵ（Ｕ４）へ伝送し、前記高周波電源部２６０に過負荷がかからないようにする。前記過負荷感知部２７０は、前記高周波電源部２６０におけるドライバー２６３のスイッチング素子ＦＥＴ１のスイッチングによる電圧を基準電圧と比較する比較器ＵＢＡと、前記比較器ＵＢＡの比較結果、前記ドライバー２６３のスイッチング素子ＦＥＴ１のスイッチングによる電圧が基準電圧より大きい場合、すなわち過負荷がかかるときにその信号を前記ＣＰＵ（Ｕ４）へ伝送するフォトカプラ（Ｕ９）と、前記比較器ＵＹＡとフォトカプラＵ９の周辺回路を構成する素子とからなる。前記過負荷感知部２７０のフォトカプラＵ９が前記ＣＰＵ（Ｕ４）へ過負荷信号を伝送すると、前記ＣＰＵ（Ｕ４）は、スイッチング速度を低めるようにする信号を前記ドライバーへ伝送して過負荷がかからないようにする。
【００６４】
前記表示部２８０は、本発明に係る高周波治療器の作動状態情報を表示する表示ランプ４７（ＬＥＤ２、ＬＥＤ４、ＬＥＤ５）と、バッテリーが過放電して充電が必要であるとき、高周波電源部２６０に過負荷がかかるとき、或いはその他異常があるときに警報音を発してそれを知らせるブザーＢＺ１とを含む。前記表示部２８０の表示ランプ４７は、赤色、黄色、緑色に発光して前記バッテリーの充電状態を表示する充電表示ＬＥＤ（ＬＥＤ２）と、前記高周波電源部２６０から出力される高周波電源の強さを２段に表示する２つの強さ表示ＬＥＤ（ＬＥＤ４、ＬＥＤ５）とを含む。
【００６５】
前記ＣＰＵ（Ｕ４）は駆動モジュール４０を全体的に制御する。例えば、前記パワーボタン１２０および調節ボタン１１０の押圧に応じるパワースイッチ４５および調節スイッチ４６の信号入力を受け、これらの入力に応じて前記放電部２２０、昇圧部２３０、定電圧部２５０、高周波電源部２６０などを制御し、前記過負荷感知部２７０で過負荷がかかると、前記高周波電源部２６０を制御して過負荷がかからないようにし、前記表示部２８０の表示を制御する。
【００６６】
以上、本発明を説明するにあたって、添付図面を参照して、特定の形状および構造を有するバッテリー内蔵型携帯用高周波治療器について説明したが、本発明は、当業者によって様々な変形および変更が可能であり、それらの変形および変更も本発明の保護範囲に属すると解釈されるべきである。
【符号の説明】
【００６７】
１０      印加導子
２０      通電導子
３０      バッテリー
４０      高周波電源モジュール
５０      レーザーモジュール
６０      上部ケース
７０      下部ケース
８０      ヘッド
９０      キャップ
１１０    操作ボタン
１２０    導電性プレート
１３０    結合プレート
Ｈ        ハウジング
【図１】
0005945061.tif 000002
【図２】
0005945061.tif 000003
【図３】
0005945061.tif 000004
【図４】
0005945061.tif 000005
【図５】
0005945061.tif 000006
【図６】
0005945061.tif 000007
【図７】
0005945061.tif 000008
【図８】
0005945061.tif 000009